(57)【要約】【課題】製造しやすい枠体、およびテレビジョン装置を提供する。【解決手段】周辺部で、分割されたスペーサ４を介して板体３に固着される枠体１０である。スペーサのつなぎ目部分９の位置に、枠体の厚み方向に貫通する、封止剤充填用の切り欠き２０を有する。好ましくは、枠体の厚み方向における切り欠きの幅が、スペーサのつなぎ目部分に向けて次第に小さく形成されている。さらに好ましくは、枠体が矩形状に形成され、切り欠きが枠体のコーナ部分に設けられている。【選択図】図４
2019029793.tif 000002
【特許請求の範囲】
【請求項１】
周辺部で、分割されたスペーサを介して板体に固着される枠体であって、
前記スペーサのつなぎ目部分の位置に、前記枠体の厚み方向に貫通する、封止剤充填用の切り欠きを有することを特徴とする枠体。
【請求項２】
前記枠体の厚み方向における前記切り欠きの幅が、前記スペーサのつなぎ目部分に向けて次第に小さく形成されていることを特徴とする請求項１に記載の枠体。
【請求項３】
前記枠体が矩形状に形成され、前記切り欠きが前記枠体のコーナ部分に設けられていることを特徴とする請求項１または２に記載の枠体。
【請求項４】
前記枠体が、前記コーナ部分で分離可能に形成されていることを特徴とする請求項３に記載の枠体。
【請求項５】
前記枠体が矩形状に形成され、前記切り欠きが前記枠体の辺部分に設けられていることを特徴とする請求項１または２に記載の枠体。
【請求項６】
前記切り欠きが、前記枠体の内周側に開いていることを特徴とする請求項１から５のいずれか一項に記載の枠体。
【請求項７】
前記切り欠きが、前記枠体の外周側に開いていることを特徴とする請求項１から５のいずれか一項に記載の枠体。
【請求項８】
前記スペーサが防水用であることを特徴とする請求項１から７のいずれか一項に記載の枠体。
【請求項９】
請求項１から８のいずれか一項に記載の枠体を搭載したことを特徴とするテレビジョン装置。
【発明の詳細な説明】
【技術分野】
【０００１】
本発明は、枠体、およびテレビジョン装置に関し、詳細には、周辺部でスペーサを介して板体に固着される枠体、およびテレビジョン装置に関する。
【背景技術】
【０００２】
浴室や台所などの水回りで使用される電子機器には、水を電子機器の内部に浸入させないことが要求される。例えば、特許文献１には、画面を保護する板体（透明パネル）と画面を保持する枠体（筐体）を防水用スペーサで固定する防水構造が開示されている。詳しくは、短冊状のスペーサを枠体の前面に貼付し、枠体にはスペーサのつなぎ目部分の位置に、枠体の前面と後面とを貫通する孔を形成し、この孔に封止剤（充填剤）を充填している。
【先行技術文献】
【特許文献】
【０００３】
【特許文献１】特開２０１５−１４４４１０号公報
【発明の概要】
【発明が解決しようとする課題】
【０００４】
しかしながら、上記特許文献１に記載の孔は、枠体の後方に向けて突出した筒状に形成されており、封止剤を孔に充填した場合、この封止剤が孔の途中で留まって、スペーサのつなぎ目部分にまで到達しているかを確認し難い。このため、枠体を製造しやすくすることが望まれる。
【０００５】
本発明は、上述のような実情に鑑みてなされたもので、製造しやすい枠体、およびテレビジョン装置を提供することを目的とする。
【課題を解決するための手段】
【０００６】
上記課題を解決するために、本発明の第１の技術手段は、周辺部で、分割されたスペーサを介して板体に固着される枠体であって、前記スペーサのつなぎ目部分の位置に、前記枠体の厚み方向に貫通する、封止剤充填用の切り欠きを有することを特徴としたものである。
【０００７】
第２の技術手段は、第１の技術手段において、前記枠体の厚み方向における前記切り欠きの幅が、前記スペーサのつなぎ目部分に向けて次第に小さく形成されていることを特徴としたものである。
【０００８】
第３の技術手段は、第１または第２の技術手段において、前記枠体が矩形状に形成され、前記切り欠きが前記枠体のコーナ部分に設けられていることを特徴としたものである。
【０００９】
第４の技術手段は、第３の技術手段において、前記枠体が、前記コーナ部分で分離可能に形成されていることを特徴としたものである。
【００１０】
第５の技術手段は、第１または第２の技術手段において、前記枠体が矩形状に形成され、前記切り欠きが前記枠体の辺部分に設けられていることを特徴としたものである。
【００１１】
第６の技術手段は、第１から第５のいずれか１の技術手段において、前記切り欠きが、前記枠体の内周側に開いていることを特徴としたものである。
【００１２】
第７の技術手段は、第１から第５のいずれか１の技術手段において、前記切り欠きが、前記枠体の外周側に開いていることを特徴としたものである。
【００１３】
第８の技術手段は、第１から第７のいずれか１の技術手段において、前記スペーサが防水用であることを特徴としたものである。
【００１４】
第９の技術手段は、第１から第８のいずれか１の枠体を搭載したテレビジョン装置であることを特徴としたものである。
【発明の効果】
【００１５】
本発明によれば、切り欠きにすれば、封止剤を充填した場合に、この封止剤が切り欠きの途中に留まり難くなり、封止剤が、スペーサのつなぎ目部分にまで到達しているかを容易に確認できる。また、スペーサの幅が小さくなると、従来のような孔の場合には、孔径も小さくなるので、封止剤を充填し難くなるが、切り欠きにすれば、スペーサの幅の変化の影響を受け難くなる。よって、枠体を製造しやすい。
【図面の簡単な説明】
【００１６】
【図１】本発明によるテレビジョン装置の外観の一例を示す図である。
【図２】テレビジョン装置の分解斜視図である。
【図３】枠体の背面図である。
【図４】スペーサを介して板体に固着された枠体の背面図である。
【図５】図４の枠体の部分拡大図である。
【図６】実施形態２の切り欠きを説明する図である。
【図７】実施形態３，４の切り欠きを説明する図である。
【図８】実施形態５の切り欠きを説明する図である。
【発明を実施するための形態】
【００１７】
以下、添付図面を参照しながら、本発明の枠体、およびテレビジョン装置に係る好適な実施の形態について説明する。
図１は、本発明によるテレビジョン装置の外観の一例を示す図である。テレビジョン装置１は、例えば、浴室や台所などの水回りで使用可能に形成されており、パネルモジュール２、背面筐体１７を有し、背面筐体１７の中央位置には、テレビジョン装置１を支持するスタンド１９が設置される。なお、背面筐体１７において、スタンド１９の側方には電源スイッチ１８が設けられている。
【００１８】
（実施形態１）
図２は、テレビジョン装置の分解斜視図であり、図３は、枠体の背面図、図４は、スペーサを介して板体に固着された枠体の背面図である。
図２に示すように、パネルモジュール２は、例えば、液晶層やガラス基板などを有した矩形状のＬＣＤ（Liquid Crystal Display）パネル１５や、その図示は省略するが、例えば、保護ガラス、偏光板、拡散板、バックライト等を有している。ＬＣＤパネル１５の後方には、テレビジョン装置１を駆動させる回路基板１６が設けられる。
【００１９】
ＬＣＤパネル１５の正面の周縁や外周面は、例えば樹脂製の枠体１０で押さえられる。枠体１０は、例えば矩形状に形成され、水平方向に延びた上フレーム１０ａと下フレーム１０ｂの間に、垂直方向に延びた右フレーム１０ｃと左フレーム１０ｄを有している。枠体１０の後面１２がパッキン（図示省略）を介して背面筐体１７に取り付けられる。図３に示すように、枠体１０の後面１２には、背面筐体１７に連結するためのボス部１３が複数設けられ、下フレーム１０ｂの両端付近には、スピーカ用のカバー部１４が設けられている。
【００２０】
一方、図２に示すように、枠体１０の前面１１には、例えば防水用のスペーサ４が貼付され、枠体１０の周辺部がスペーサ４を介して例えば矩形状の板体３（例えばガラス製）に固着される。
スペーサ４は、例えば両面テープであり、材料費用を抑えるために例えば４分割されており、枠体１０の四辺に沿って、上方部５、下方部６、側方部７，８を有している。
【００２１】
上方部５は、コ字状に形成され、枠体１０の上フレーム１０ａに沿って水平方向に延び、その両端部分が下方に向けてそれぞれ突き出ている。下方部６も、略コ字状に形成され、下フレーム１０ｂに沿って水平方向に延び、カバー部１４の位置で折れ曲がるが、その両端部分は上方に向けてそれぞれ突き出ている。側方部７は、右フレーム１０ｃに沿って垂直方向に延び、側方部８は、左フレーム１０ｄに沿って垂直方向に延びている。
【００２２】
４分割したスペーサ４を枠体１０の前面１１に貼付すると、図４に示すように、上方部５の突出端と側方部７の上端との間には、スペーサ４のつなぎ目部分９が水平方向に沿って生ずる場合がある。同様に、上方部５の突出端と側方部８の上端との間、下方部６の突出端と側方部７の下端との間、下方部６の突出端と側方部８の下端との間にも、スペーサ４のつなぎ目部分９が生ずることがある。
【００２３】
スペーサ４の各つなぎ目部分９は、枠体１０の内周側と外周側とを連通するので、防水性能を低下させる要因になる。そこで、枠体１０には、各つなぎ目部分９の位置に、封止剤充填用の切り欠き２０を形成し、この切り欠き２０に封止剤を供給してつなぎ目部分９を埋めることにより、枠体１０の内周側と外周側とを連通する箇所を無くしている。
【００２４】
図５は、図４の枠体の部分拡大図である。切り欠き２０は、上方部５の突出端と側方部７の上端との間、上方部５の突出端と側方部８の上端との間、下方部６の突出端と側方部７の下端との間、下方部６の突出端と側方部８の下端との間の計４箇所設けられている。そのうち、上方部５の突出端と側方部７の上端との間に設けた切り欠き２０を例に挙げて説明すると、この切り欠き２０は、つなぎ目部分９に対面した、右フレーム１０ｃの辺部分に設けられている。
【００２５】
詳しくは、図５（Ａ）に示すように、切り欠き２０は、枠体１０の厚み方向（テレビジョン装置１の奥行き方向と同じ）に、つまり、枠体１０の前面１１と後面１２とを貫通して形成されている。また、切り欠き２０は、例えば、枠体１０の内周側に開いており、封止剤の導入口２１を有し、導入口２１から側面２３に連なって、先端面２２に達している。
切り欠き２０の側面２３は導入口２１から水平方向に延びており、テレビジョン装置１の上下方向で対向する側面２３間の長さ（枠体１０の厚み方向における切り欠き２０の幅）は、テレビジョン装置１の奥行き方向に亘って同じ大きさである。
【００２６】
切り欠き２０の先端面２２は、枠体１０の外周側に達しておらず、例えばスペーサ４の幅の中央位置で、側面２３に対して垂直方向に延びている。
そして、切り欠き２０の導入口２１から供給された封止剤３０は、板体３の背面で支えられながら先端面２２に向けて進み、図５（Ｂ）に示すように、切り欠き２０に充填されるとともに、切り欠き２０内に露出したつなぎ目部分９に充填される。これにより、上方部５と側方部７がつながるので、防水性能の低下を回避できる。
【００２７】
なお、封止剤３０の例えば供給量が多い場合、封止剤３０は、切り欠き２０内に露出したつなぎ目部分９から、板体３の背面と枠体１０の前面１１と間に形成された間隙を経由して、切り欠き２０よりも側方に位置するつなぎ目部分９にも充填される。
このように、枠体１０に切り欠き２０を設ければ、封止剤３０を充填した場合に、この封止剤３０が切り欠き２０の途中に留まり難くなり、封止剤３０が、スペーサ４のつなぎ目部分９（切り欠き２０内に露出したつなぎ目部分９）にまで到達しているかを容易に確認できる。また、スペーサ４の幅が小さくなると、従来のような孔の場合には、孔径も小さくなるので、封止剤３０を充填し難くなるが、切り欠き２０にすれば、スペーサ４の幅の変化の影響を受け難くなる。よって、枠体１０を製造しやすい。
【００２８】
また、封止剤の導入口２１を枠体１０の内周側に設ければ、封止剤３０を、枠体１０の後方から前方に向けて充填する場合に比べて充填しやすくなる。
【００２９】
（実施形態２）
図６は、実施形態２の切り欠きを説明する図である。
上記実施形態１では、枠体１０の厚み方向における切り欠き２０の幅が同じ大きさで形成される例を挙げて説明した。しかし、本発明はこの例に限定されない。例えば、図６の断面図に示すように、枠体１０の厚み方向における切り欠き２０の幅は、枠体１０の前面１１、つまり、つなぎ目部分９に向けて次第に小さくしてもよい。このように、切り欠き２０を、つなぎ目部分９に向けて次第に縮径する断面形状にすれば、毛細管現象を利用でき、つなぎ目部分９まで同じ幅にした場合に比べて、封止剤３０をつなぎ目部分９に容易に充填できる。
【００３０】
（実施形態３）
図７（Ａ）は、実施形態３の切り欠きを説明する図である。
上記実施形態１の枠体１０は、矩形状の一体型の例で説明したが、枠体のコーナ部分で分離可能に形成してもよい。詳しくは、上フレーム１０ａと右フレーム１０ｃの例で説明すると、上フレーム１０ａの右端と右フレーム１０ｃの上端には、切り欠き２０を半割りした形状を有しており、上フレーム１０ａと右フレーム１０ｃを枠体１０のコーナ部分で接合した場合に、切り欠き２０が枠体１０のコーナ部分に形成される。
【００３１】
このように、切り欠き２０を枠体１０のコーナ部分に設ければ、枠体の辺部分に設けた場合に比べて、枠体製造用の型を容易に製造できる。また、枠体１０が切り欠き２０の形成位置で分離できるため、枠体製造用の型が小型になり、この型の数も少なくて済む。
【００３２】
（実施形態４）
図７（Ｂ）は、実施形態４の切り欠きを説明する図である。
切り欠き２０を枠体１０（一例として右フレーム１０ｃ）の辺部分に設ければ、図７（Ｂ）に示すような、狭額縁のデザインにも容易に対応できる。狭額縁のテレビジョン装置は、スペーサ４の幅が特に小さくなる。従来のような孔の場合には、その孔形状はスリットのような極細になり、封止剤を非常に供給し難くなる。しかし、切り欠きであればスリットを形成しなくて済むので、狭額縁に対応した枠体１０を容易に製造できる。
【００３３】
（実施形態５）
図８は、実施形態５の切り欠きを説明する図である。
上記実施形態１の枠体１０は、封止剤の導入口２１を枠体１０の内周側に設けた例を挙げて説明した。しかし、封止剤の導入口２１を枠体１０の外周側に設けることも可能である。詳しくは、図８に示すように、切り欠き２０は、枠体１０の外周側に開いており、封止剤の導入口２１を有し、切り欠き２０の側面２３が導入口２１から水平方向に延びている。切り欠き２０の先端面２２は、側面２３に対して垂直方向に延びているが、枠体１０の内周側には達していない。
【００３４】
この場合にも、導入口２１から供給された封止剤３０は、先端面２２に向けて進み、切り欠き２０に充填されるとともに、切り欠き２０内に露出したつなぎ目部分９に充填される。
このように、封止剤の導入口２１を枠体１０の外周側に設けた場合にも、封止剤３０を、枠体１０の後方から前方に向けて充填する場合に比べて充填しやすくなる。
【００３５】
なお、上記実施形態１では、テレビジョン装置の例で説明したが、本発明は、防水機能を有する表示画面を備える限り、タブレット、スマートフォンなどの端末機器にも適用可能である。
【符号の説明】
【００３６】
１…テレビジョン装置、２…パネルモジュール、３…板体、４…スペーサ、５…上方部、６…下方部、７，８…側方部、９…つなぎ目部分、１０…枠体、１０ａ…上フレーム、１０ｂ…下フレーム、１０ｃ…右フレーム、１０ｄ…左フレーム、１１…前面、１２…後面、１３…ボス部、１４…スピーカ用のカバー部、１５…ＬＣＤパネル、１６…回路基板、１７…背面筐体、１８…電源スイッチ、１９…スタンド、２０…封止剤充填用の切り欠き、２１…導入口、２２…先端面、２３…側面、３０…封止剤。
【図１】
2019029793.tif 000003
【図２】
2019029793.tif 000004
【図３】
2019029793.tif 000005
【図４】
2019029793.tif 000006
【図５】
2019029793.tif 000007
【図６】
2019029793.tif 000008
【図７】
2019029793.tif 000009
【図８】
2019029793.tif 000010
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
周辺部で、分割されたスペーサを介して板体に固着される枠体であって、
前記スペーサのつなぎ目部分の位置に、前記枠体の厚み方向に貫通する切り欠きを有し、
前記枠体の厚み方向における前記切り欠きの幅が、前記スペーサのつなぎ目部分に向けて次第に小さく形成されていることを特徴とする枠体。
【請求項２】
前記枠体が矩形状に形成され、前記切り欠きが前記枠体の辺部分に設けられていることを特徴とする請求項１に記載の枠体。
【請求項３】
前記枠体が矩形状に形成され、前記切り欠きが前記枠体のコーナ部分に設けられていることを特徴とする請求項１に記載の枠体。
【請求項４】
周辺部で、分割されたスペーサを介して板体に固着される枠体であって、
前記スペーサのつなぎ目部分の位置に、前記枠体の厚み方向に貫通する切り欠きを有し、
前記枠体が矩形状に形成され、前記切り欠きが前記枠体のコーナ部分に設けられていることを特徴とする枠体。
【請求項５】
前記枠体が、前記コーナ部分で分離可能に形成されていることを特徴とする請求項３または４に記載の枠体。
【請求項６】
前記切り欠きが、前記枠体の内周側に開いていることを特徴とする請求項１から５のいずれか一項に記載の枠体。
【請求項７】
周辺部で、分割されたスペーサを介して板体に固着される枠体であって、
前記スペーサのつなぎ目部分の位置に、前記枠体の厚み方向に貫通する切り欠きを有し、
前記切り欠きが、前記枠体の内周側に開いていることを特徴とする枠体。
【請求項８】
前記切り欠きが、前記枠体の外周側に開いていることを特徴とする請求項１から５のいずれか一項に記載の枠体。
【請求項９】
周辺部で、分割されたスペーサを介して板体に固着される枠体であって、
前記スペーサのつなぎ目部分の位置に、前記枠体の厚み方向に貫通する切り欠きを有し、
前記切り欠きが、前記枠体の外周側に開いていることを特徴とする枠体。
【請求項１０】
前記スペーサが防水用であることを特徴とする請求項１から９のいずれか一項に記載の枠体。
【請求項１１】
請求項１から１０のいずれか一項に記載の枠体を搭載したことを特徴とするテレビジョン装置。
【手続補正２】
【補正対象書類名】明細書
【補正対象項目名】０００６
【補正方法】変更
【補正の内容】
【０００６】
上記課題を解決するために、本発明の第１の技術手段は、周辺部で、分割されたスペーサを介して板体に固着される枠体であって、前記スペーサのつなぎ目部分の位置に、前記枠体の厚み方向に貫通する切り欠きを有し、前記枠体の厚み方向における前記切り欠きの幅が、前記スペーサのつなぎ目部分に向けて次第に小さく形成されていることを特徴としたものである。
【手続補正３】
【補正対象書類名】明細書
【補正対象項目名】０００７
【補正方法】変更
【補正の内容】
【０００７】
第２の技術手段は、第１の技術手段において、前記枠体が矩形状に形成され、前記切り欠きが前記枠体の辺部分に設けられていることを特徴としたものである。
第３の技術手段は、第１または第２の技術手段において、前記枠体が矩形状に形成され、前記切り欠きが前記枠体のコーナ部分に設けられていることを特徴としたものである。
【手続補正４】
【補正対象書類名】明細書
【補正対象項目名】０００８
【補正方法】変更
【補正の内容】
【０００８】
第４の技術手段は、周辺部で、分割されたスペーサを介して板体に固着される枠体であって、前記スペーサのつなぎ目部分の位置に、前記枠体の厚み方向に貫通する切り欠きを有し、前記枠体が矩形状に形成され、前記切り欠きが前記枠体のコーナ部分に設けられていることを特徴としたものである。
【手続補正５】
【補正対象書類名】明細書
【補正対象項目名】０００９
【補正方法】変更
【補正の内容】
【０００９】
第５の技術手段は、第３または第４の技術手段において、前記枠体が、前記コーナ部分で分離可能に形成されていることを特徴としたものである。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
第６の技術手段は、第１から第５のいずれか１の技術手段において、前記切り欠きが、前記枠体の内周側に開いていることを特徴としたものである。
第７の技術手段は、周辺部で、分割されたスペーサを介して板体に固着される枠体であって、前記スペーサのつなぎ目部分の位置に、前記枠体の厚み方向に貫通する切り欠きを有し、前記切り欠きが、前記枠体の内周側に開いていることを特徴としたものである。
【手続補正８】
【補正対象書類名】明細書
【補正対象項目名】００１２
【補正方法】変更
【補正の内容】
【００１２】
第８の技術手段は、第１から第５のいずれか１の技術手段において、前記切り欠きが、前記枠体の外周側に開いていることを特徴としたものである。
第９の技術手段は、周辺部で、分割されたスペーサを介して板体に固着される枠体であって、前記スペーサのつなぎ目部分の位置に、前記枠体の厚み方向に貫通する切り欠きを有し、前記切り欠きが、前記枠体の外周側に開いていることを特徴としたものである。
【手続補正９】
【補正対象書類名】明細書
【補正対象項目名】００１３
【補正方法】変更
【補正の内容】
【００１３】
第１０の技術手段は、第１から第９のいずれか１の技術手段において、前記スペーサが防水用であることを特徴としたものである。
【手続補正１０】
【補正対象書類名】明細書
【補正対象項目名】００１４
【補正方法】変更
【補正の内容】
【００１４】
第１１の技術手段は、第１から第１０のいずれか１の枠体を搭載したテレビジョン装置であることを特徴としたものである。